(57)【要約】【課題】  ペットの性質や好みなどに合わせてフレーム体の立体形状を変えることができ、長期的に使用することの可能なペット用ベッドを提供する。【解決手段】  ペット用ベッド１は、第１枠体２１と第２枠体２３とが連結部材２５を介して相互に結合されて立体形状に組まれたフレーム体１１と、フレーム体１１の連結部材２５同士の間に架設される支持布１２とを備えている。この支持布１２は、ペットに寝場所として使用させることができる。また、フレーム体１１は相互に組み変え可能に形成されており、フレーム体１１の立体形状が変更自在とされるとともに支持布１２の架設位置も変更自在とされている。【選択図】  図１
2012115218.tif 000002
【特許請求の範囲】
【請求項１】
分解可能及び組立て可能とされた立体形状のフレーム体と、前記フレーム体に設けられた支持布とを備え、前記フレーム体の立体形状が変更自在とされるとともに前記支持布の架設位置が変更自在とされたことを特徴とするペット用ベッド。
【請求項２】
請求項１に記載のペット用ベッドにおいて、
前記フレーム体は、
対向して配置される一対の矩形状の第１枠体と、
前記第１枠体の形状と共通する形状の共通部を含み、該共通部と前記第１枠体とを並列又は重合させた状態で対向して配置される一対の矩形状の第２枠体と、
前記第１枠体同士の間及び前記第２枠体同士の間を連結する複数本の連結部材とを含み、
前記支持布は、前記複数本の連結部材のうち、同じ高さレベルに位置する２本の連結部材に対して選択的に架設されてなることを特徴とするペット用ベッド。
【請求項３】
請求項２に記載のペット用ベッドにおいて、
前記支持布は、前記連結部材を挿通させる筒状の結合部を備えたことを特徴とするペット用ベッド。
【発明の詳細な説明】
【技術分野】
【０００１】
本発明は、室内で飼育されるペットが寝たり遊んだりするためのペット用ベッドに関する。
【背景技術】
【０００２】
従来、猫などの室内で飼われるペットが使用するベッドとして、単純なマット状のもの、ペットがもぐり込むことのできる寝袋状のもの（例えば特許文献１参照。）、またペットが出入りして遊ぶことができるトンネル状のもの（例えば特許文献２参照。）などがある。
【０００３】
このようなペット用のベッドの購入に際して、飼い主は、ペットがどのようなベッドを好むかを想像してベッドを購入するのが一般的である。
【先行技術文献】
【特許文献】
【０００４】
【特許文献１】実用新案登録第３１０８７９５号公報
【特許文献２】意匠登録第１２３３０７９号公報
【発明の開示】
【発明が解決しようとする課題】
【０００５】
しかし、例えば、飼い主が寝袋状のベッドがよいと思って購入したとしても、ペットがそのベッドに飽きてしまったり、好まなかったりして、最終的には寄りつかなくなり、せっかく購入したベッドを無駄にしてしまうということがあった。
【０００６】
また、室内で飼われるペットの中でも、特に猫は、少し高い場所を好む性質があるため、前記従来のベッドのように、床面に載置され、高さがあまりないベッドには好んで入っていかず、寄りつかなくなってしまうということもあった。そのため、テーブルや箪笥等の家具の上に飛び乗って遊んだり、家具の上で寝たりすることが多くなり、家具が傷ついたり、家具上の物が散乱したりするという問題点があった。
【０００７】
本発明は、このような事情にかんがみてなされたものであり、室内で飼うペットに専用の寝場所を提供するとともに、ペットが好んで使用して、寝たり遊んだりすることのできるベッドとすることを目的としている。さらに、ペットの性質や好みなどに合わせて適宜形状を変えられて、飼い主にとっても使い勝手がよく、長期的な使用を可能にするベッドとすることを目的としている。
【課題を解決するための手段】
【０００８】
上記した目的を達成するため、本発明に係るペット用ベッドは、分解可能及び組立て可能とされた立体形状のフレーム体と、前記フレーム体に設けられた支持布とを備え、前記フレーム体の立体形状が変更自在とされるとともに前記支持布の架設位置が変更自在とされたことを特徴としている。
【０００９】
この特定事項により、立体形状に組まれたフレーム体に支持布が設けられているので、ペットが支持布の上に乗って寝場所としたり、フレーム体に登って遊んだりすることができ、ペットに専用の場所を与えることが可能となる。また、フレーム体は分解することが可能であり、ペットの性質や好み、また使い勝手等に合わせてその立体形状を変えることができ、長期的に使用することが可能なものとなる。
【００１０】
また、前記構成のペット用ベッドにおいて、前記フレーム体は、対向して配置される一対の矩形状の第１枠体と、前記第１枠体の形状と共通する形状の共通部を含み、該共通部と前記第１枠体とを並列又は重合させた状態で対向して配置される一対の矩形状の第２枠体と、前記第１枠体同士の間及び前記第２枠体同士の間を連結する複数本の連結部材とを含み、前記支持布を、前記複数本の連結部材のうち、同じ高さレベルに位置する２本の連結部材に対して選択的に架設する構成とされることが好ましい。
【００１１】
この特定事項により、一対の第１枠体と一対の第２枠体とは、第２枠体の共通部を第１枠体に並列させた状態で対向配置した組み方や、第２枠体の共通部を第１枠体に重合させた状態で対向配置した組み方とすることができる。これにより、ペットの性質、好み、成長過程等に合わせて、また飼い主の使い勝手等に合わせて、適宜、フレーム体の立体形状を変更することが可能となる。また、その際に、支持布も好みの箇所に架設することができ、多様な使用形態が可能になるとともに、ペット用ベッドとして長期にわたり使用することが可能となる。
【００１２】
前記支持布の具体的構成としては、平行に配設された２本の連結部材をそれぞれ挿通させる筒状の結合部を備えたものであることが好ましい。これにより、前記連結部材に対して容易に取り付けたり取り外したりすることができ、フレーム体に対して支持布を安定的に架設することができる。
【発明の効果】
【００１３】
本発明は、ペット用ベッドを多様な形態で形成することが可能であり、また、ペットの寝場所となる支持布も多様な位置に架設することができ、室内で飼うペットに専用の寝場所を提供することが可能となる。また、ペットの性質や好みなどに合わせて適宜形状を変えられるので、ペットに飽きさせないようにして、長期的に使用することが可能となる。
【図面の簡単な説明】
【００１４】
【図１】本発明の実施形態に係るペット用ベッドの斜視図である。
【図２】図１に示すペット用ベッドの組立て方法を示す分解斜視図である。
【図３】本発明の実施形態に係るペット用ベッドにおける、他の組立て形態を示す斜視図である。
【図４】本発明の実施形態に係るペット用ベッドにおける、さらに他の組立て形態を示す斜視図である。
【発明を実施するための形態】
【００１５】
以下、本発明の実施形態に係るペット用ベッドについて、図面を参照しつつ説明する。
【００１６】
図１及び図２は、本発明の一実施形態に係るペット用ベッドを示し、図１はペット用ベッドの斜視図、図２はペット用ベッドの組立て方法を示す分解斜視図である。
【００１７】
ペット用ベッド１は、ペットを支持する支持布１２がフレーム体１１に設けられた構成とされている。フレーム体１１は、枠部材を相互に結合して立体形状に組まれてなる。
【００１８】
例示の形態では、フレーム体１１を構成する枠部材は、対向して配置される一対の第１枠体２１と、対向して配置される一対の第２枠体２３と、第１枠体２１同士の間及び第２枠体２３同士の間を連結する複数本の連結部材２５とからなる。
【００１９】
一対の第１枠体２１は、木質材、合成樹脂材等からなる板状材により、正面視で略正方形状の枠体として形成されている。図２に示されるように、各第１枠体２１は、四隅の角をアール状に面取りして、内側に正方形状の開口２１１を設けた枠形状とされている。これにより、第１枠体２１は、一定幅からなる矩形の額縁状に形成されている。また、第１枠体２１の四隅近傍には、それぞれネジ孔２１３が設けられている。
【００２０】
一対の第２枠体２３は、木質材、合成樹脂材等からなる板状材により、正面視で略長方形状の枠体として形成されている。また、第２枠体２３は、第１枠体２１の枠形状と共通の枠形状からなる共通部を含むように形成されている。
【００２１】
例示の形態では、第２枠体２３は、四隅の角がアール状に面取りされており、内側に、短辺２３ａと平行に１本の桟材２３２が一体に形成されている。これにより、第２枠体２３は、内側に、正方形状の開口２３４と長方形状の開口２３６とを有する形状とされている。また、桟材２３２は、正方形状の開口２３４が、前記第１枠体２１の開口２１１の大きさと合致するように配設されている。これにより、第２枠体２３は、正方形状の開口２３４の周囲において、第１枠体２１と共通な枠形状を備えている。また、第２枠体２３は、四隅近傍と、桟材２３２の両端近傍とに、それぞれネジ孔２３８が設けられている。
【００２２】
ここで、第１枠体２１の一辺と、第２枠体２３の短辺２３ａとは、共通の長さ寸法からなる。また、第１枠体２１の各ネジ孔２１１と、第２枠体２３の正方形状の開口２３４の周囲に形成された４つのネジ孔２３８とは、それぞれ対応するように構成されている。
【００２３】
これにより、図２に示すように、第１枠体２１と第２枠体２３とを重ね合わせるとき、第１枠体２１の開口２１１と、第２枠体２３の正方形状の開口２３４とを合致させることができる。また、第１枠体２１の四隅の各ネジ孔２１３は、第２枠体２３の正方形状の開口２３４の周囲のネジ孔２３８に、それぞれ合致させることができる。
【００２４】
連結部材２５は、例示の形態では円形断面の棒状体からなり、木質材や合成樹脂材等から構成されている。また、連結部材２５は、断面中空のパイプ材から形成されてもよく、第１枠体２１及び第２枠体２３を連結し、適当な強度を有するものであれば、断面形状及び材質はどのようなものであってもよい。
【００２５】
各連結部材２５は、両端部に雌ネジ部２５１が設けられている。雌ネジ部２５１は、例えば、両端部に鬼目ナットを埋設することにより連結部材２５に形成することができる。
【００２６】
前記のとおり連結部材２５の断面形状は任意であるが、長さは、第１枠体２１の一辺の長さ（すなわち第２枠体２３の短辺２３ａの長さ）に対応させ、第１枠体２１と連結されることにより略立方体形状をなすように設定されている。例示の形態では、連結部材２５は、第１枠体２１及び第２枠体２３の間に介在されるので、当該フレームの長さから第１枠体２１（及び第２枠体２３）の厚み分を差し引いた長さ寸法で設定されている。また、連結部材２５は、２種類の長さからなるものを用意し、組み立てるフレーム体１１の形状に合わせて選択して用いる構成であってもよい。図１に示すペット用ベッド１においては、上段及び中段に配設された連結部材２５は、第１枠体２１と第２枠体２３との厚みを考慮して、下段の連結部材２５よりも短い長さ寸法で形成されている。
【００２７】
また、ペット用ベッド１には、複数枚の支持布１２が備えられている。支持布１２は、ペットの胴体を保持してペットの寝場所となるものであり、ペットの体を支えるのに十分な強度と適度な柔軟性を備えたシート状材からなる。
【００２８】
支持布１２は、フレーム体１１を構成する複数本の連結部材２５のうち、水平方向に延在する平行な２本の連結部材２５同士の間に架設される。支持布１２は、略矩形状に形成されている。例示の形態では、支持布１２は、表地（例えば綿布）と裏地（例えばポリエステル布）とが２枚合わせにされた布地からなる。
【００２９】
支持布１２の両端部には、連結部材２５との結合部１２１がそれぞれ設けられている。具体的には、結合部１２１は、支持布１２の両端部が折り返されて、連結部材２５が挿通しうる大きさの筒状となるように縫合して形成されている。また、支持布１２は、長方形状で形成され、支持布１２の短辺の長さが連結部材２５の長さと同等若しくはそれより若干短い寸法で形成されている。支持布１２の長辺の長さは、第１枠体２１の一辺（すなわち第２枠体２３の短辺２３ａ）の長さと同等若しくはそれより長くなるように設定されている。
【００３０】
これにより、支持布１２は、連結部材２５に結合されて、フレーム体１１に架設されたとき、ハンモックのように撓んだ状態で配設される。そのため、支持布１２は、ペットの胴体を包むように安定的に保持するものとなる。
【００３１】
かかる支持布１２は、２枚合わせにした布地から形成されるだけでなく、１枚布、又は３枚以上が重ね合わされたものであってもよい。また、支持布１２の素材は、綿、麻等の天然繊維、ポリエステル繊維、ナイロン繊維、アクリル繊維等の各種合成繊維、その他有用繊維からなる織物、編物、不織布等の強度を有する布、又はこれらを組み合わせた布など、どのようなものであってもよい。さらに、支持布１２はこれらの布に限らず、強度、柔軟性又は伸縮性等を有するシート状材であれば、人工皮革、合成皮革、網状体、シート状樹脂材、シート状ゴム材等どのようなものから構成されてもよく、また例えば、ポリエステル、アクリル、ナイロン等の化学繊維や、木綿、毛、その他の天然動植物繊維からなるボア、モヘア、フランネル、フリース、フェルト、ベルベット、天竺、帆布、イミテーションファー等の起毛繊維材から形成されてもよい。
【００３２】
また、支持布１２は矩形状のものに限らず、例えば、三角形等の多角形状や円形状、楕円形状に形成されて連結部材２５に複数箇所で支持される構成であってもよい。さらに、支持布１２は、連結部材２５に対して結合される構成に限らず、第１枠体２１や第２枠体２３に対しても結合可能とされてもよい。また、結合部１２１は、フレーム体１１に対して取り付け及び取り外しを可能とするものであれば、着脱自在なボタン、フック、リング等の係合部材が支持布１２に備えられる構成であってもよい。さらに、支持布１２の長さ（結合部１２１間の距離）を長く形成しておき、結合部１２１と平行にスライドファスナ等を設け、短く折り畳んだ状態で結合したり、結合を解除して伸ばした状態で用いたりして、適宜、支持布１２の長さを伸縮変更できるような構成であってもよい。これにより、架設する部材間の距離に合わせて、支持布１２の大きさを適宜調整することができる。
【００３３】
（組立て方法）
前記構成に係るペット用ベッド１は、次のような手順により組み立てることができる。
【００３４】
図２に示すように、第２枠体２３と第１枠体２１とを、正方形状の各開口２３４、２１１が合致するように重合するとともに、各ネジ孔２３８、２１３を介して、連結部材２５の一端部の雌ネジ部２５１に対して、第２枠体２３の外側からネジ３をそれぞれ螺着することにより、これらを連結する。図２では、対向する一対の第２枠体２３、２３の内側に、第１枠体２１、２１を対向配置して、６本の連結部材２５により一体に結合する様子を示している。
【００３５】
次いで、水平方向に平行に延びる２本の連結部材２５同士の間に、支持布１２を取り付ける。このとき、支持布１２の両端部の結合部１２１に、２本の連結部材２５をそれぞれ挿入する。これにより、支持布１２を連結部材２５同士の間に容易に架設することができる。図２では、上段と中段とに配設された２組の連結部材２５に対し、それぞれ支持布１２が架設されている。下段の１組の連結部材２５には、支持布１２を架設しなくともよい。
【００３６】
最後に、６本の連結部材２５の他端部の雌ネジ部２５１に、第１枠体２１のネジ孔２１３及び第２枠体２３のネジ孔２３８を合致させ、ネジ３を螺着してこれらを連結する。これにより、第１枠体２１、第２枠体２３、及び連結部材２５とを相互に結合して、立体形状のフレーム体１１を組むことができる。かかるフレーム体１１は、床面に安定的に設置することができる。
【００３７】
また、フレーム体１１に対して、２枚の支持布１２を、高さ方向に二段にわたって架設することができる。これらの支持布１２は、床面よりも高い位置に架設されるので、高さのある場所が好きなペットにも好適なものとなる。
【００３８】
また、ペット用ベッド１を床面に設置して使用する場合に、第１枠体２１及び第２枠体２３における床面との当接部位に、テープ状又は線状の滑り止め材を添着してもよい。
【００３９】
（他の組立て形態）
ペット用ベッド１は、図１及び図２に示した組立て形態のほか、前記形態と共通の構成部材を用いて、図３及び図４に示す組立て形態とすることも可能である。
【００４０】
図３に示す形態では、ペット用ベッド１は、フレーム体１１が横長の略直方体形状に組まれ、上面に２枚の支持布１２が並設されている。
【００４１】
具体的には、第１枠体２１の一辺に対して、第２枠体２３の端部の短辺２３ａを重ね合わせ、各開口２１１、２３４を並列させるようにして、第１枠体２１と第２枠体２３とが結合されている。
【００４２】
このように重なり合った形態で対向配置された第１枠体２１、２１と、第２枠体２３、２３との間には、８本の連結部材２５が配設され、ネジ３により相互に連結されている。これにより、立体形状のフレーム体１１が形成されている。また、上段の４本の連結部材２５には、２本を一組として支持布１２が架設され、ペットのための寝場所を形成している。
【００４３】
図４に示す形態では、ペット用ベッド１は、２つの支持布１２を横方向に段違いに配設した形態とされている。
【００４４】
具体的には、第１枠体２１の一辺と第２枠体２３の長辺２３ｂとを重ね合わせるようにし、各開口２１１、２３４を並列させて、第１枠体２１と第２枠体２３とが結合されている。ここで、第１枠体２１の開口２１１と、第２枠体２３の正方形状の開口２３４とは、横方向に並ぶように、これらのフレームが配置されている。
【００４５】
また、このように重なり合った形態で対向配置された第１枠体２１、２１と、第２枠体２３、２３との間には、８本の連結部材２５が配設され、ネジ３により相互に連結されている。これにより、立体形状のフレーム体１１が形成されている。支持布１２は、これらの連結部材２５のうち、第１枠体２１の上方側に配設された平行な一組の連結部材２５と、第２枠体２３の上方側に配設された平行な一組の連結部材２５に対して、それぞれ架設されている。これにより、ペットの寝場所となる支持布１２が２つ、横方向に段違いに配設されている。
【００４６】
例示の形態に係るペット用ベッド１は、上記のように、少なくとも３通りの組立て形態が可能なものとされている。
【００４７】
すなわち、ペット用ベッド１は、一対の第１枠体２１と一対の第２枠体２３との相互の共通部を並列又は重合させるように、複数本の連結部材２５を介してフレーム体１１が組まれており、フレーム体１１を、適宜、組み変えることにより、その立体形状を変形することが可能である。また、支持布１２は、平行な一組の連結部材２５に対して選択的に架設することができるので、支持布１２の配置形態も、適宜、変更することができる。
【００４８】
これにより、ペット用ベッド１は、ペットが複数の支持布１２の上に乗って寝場所としたり、またフレーム体１１に登って遊んだりすることのできるものとなり、ペットの好み、性質、成長過程等に合わせて、適宜、フレーム体１１の立体形状を変えて使用することが可能となる。その結果、ペットがペット用ベッド１に飽きたり寄りつかなくなったりする事態を避けられ、ペット用ベッド１を長く使わせることができる。
【００４９】
また、ペット用ベッド１は、フレーム体１１の立体形状を、飼い主の使い勝手や好みに応じて変更するという使い方もできる。例えば、図１に示したフレーム体１１は、高さ方向に大きく、幅方向には小さい立体形状であるので、狭いスペースであっても設置することができる。また、図３に示したフレーム体１１は、幅方向に広い立体形状であるので、広いスペースに設置したり、ペットに広く遊ばせたりするのに好適である。さらに、図４に示したフレーム体１１は、段違いの立体形状を有し、高さ方向に変化があるので、意匠性が高く見た目にも楽しむことができる。また、このように複数の支持布１２を備えた構成であることから、ペットが支持布１２と支持布１２との間を移動したり、場所を変えて眠ったりする様子を見ることができ、ペットを一層かわいがることができる。
【００５０】
さらに、ペット用ベッド１は、使用しないときには簡単に解体することができ、省スペースで収納することも可能である。また、支持布１２が汚れたときには、第１枠体２１又は第２枠体２３を取り外して、支持布１２を連結部材２５から抜き取り、洗浄したり取り替えたりすることも簡単に行うことができる。このため、飼い主にとって、極めて使い勝手がよく、長期的に使用することのできるものとなる。
【００５１】
（他の実施形態）
本発明に係るペット用ベッド１は、上記の実施形態以外にも他の様々な形で実施することができる。
【００５２】
例えば、フレーム体１１の構成は上記実施形態に限定されるものではなく、フレーム体１１を形成する部材は、支持布２１が設けられる立体形状を有するものであれば、どのような構成であってもよい。また、第１枠体２１及び第２枠体２３の数を増やしたり、第１枠体２１及び第２枠体２３の各枠形状を異ならせたりすることで、さらに多様な立体形状を構築することができる。例えば、第１枠体２１と第２枠体２３との共通部を、長方形状の開口を備えた枠形状としてもよい。また、例えば、略コ字状や帯板状に形成された複数の枠部材を、棒状の連結部材により相互に組むことによって立体形状のフレーム体１１を構成してもよい。
【００５３】
また、例えば、フレーム体１１の各部材の表面に、柔軟性があり比較的丈夫な布地を張って仕上げてもよい。布地は、例えば、ポリエステル、アクリル、ナイロン等の化学繊維や、木綿、毛、その他の天然動植物繊維からなるボア、モヘア、フランネル、フリース、フェルト、ベルベット、天竺、帆布、イミテーションファー等の起毛繊維材、及びこれらに類する質感の織布、編布、不織布、合成又は天然皮革、さらには繊維風の質感を模した樹脂製シート材等を使用することができる。
【００５４】
また、支持布１２の構成も上記実施形態に限定されるものではなく、他の多様な素材及び形状から形成することができ、架設する枚数を増減して架設位置のバリエーションを増やすこともできる。例えば、支持布１２は、ペットを支持しうる形態であれば、水平に架設されるだけでなく、傾斜させた状態に架設されてもよい。また、フレーム体１１の構成同士を連結する手段は、上記ネジ止めに限らず、相互に連結可能であればどのようなものであってもよい。そのため、上記実施形態は例示であって限定的なものではない。
【産業上の利用可能性】
【００５５】
本発明は、猫などの室内で飼われるペットが使用するベッドとして好適に利用することができる。
【符号の説明】
【００５６】
１      ペット用ベッド
１１    フレーム体
１２    支持布
１２１  結合部
２１    第１枠体
２１１  開口
２１３  ネジ孔
２３    第２枠体
２３ａ  短辺
２３ｂ  長辺
２３２  桟材
２３４  正方形状の開口
２３６  長方形状の開口
２３８  ネジ孔
２５    連結部材
２５１  雌ネジ部
３      ネジ
【図１】
2012115218.tif 000003
【図２】
2012115218.tif 000004
【図３】
2012115218.tif 000005
【図４】
2012115218.tif 000006